(57)【要約】【課題】容易な加工及び低コストにて、太陽光パネルユニットの杭に対し高い支持力の維持及び設置面への容易な埋設を実現し、撤去の際には杭を引き抜き易くする。【解決手段】太陽光パネルユニット（10）設置の際に杭（19）の下端に取り付けられる杭装着部材（70）は、本体部（71）と、本体部（71）の上端側を杭（19）の下端（19b）側に着脱可能に取り付けるための取り付け部（72）とを備える。本体部（71）は、杭（19）に取り付けられた際に下端側に向かって先細る形状を有し、太陽光パネルユニット（10）の設置時には接地面に埋設される。【選択図】図３
2016073085.tif 000002
【特許請求の範囲】
【請求項１】
太陽光発電パネル（11）と、上記太陽光発電パネル（11）を支持する支持部材（14）と、上記支持部材（14）の下方に延びる杭（19）と、を備えた太陽光パネルユニット（10）において、該太陽光パネルユニット（10）の設置の際に上記杭（19）の下端（19b）に取り付けられる杭装着部材（70）であって、
一方向に延設された本体部（71）と、
上記本体部（71）の上記一方向の一端側に設けられ、該一端側を上記杭（19）の下端（19b）側に着脱可能に取り付けるための取り付け部（72）と、
を備え、
上記本体部（71）は、上記杭（19）に取り付けられた際に上記一方向の他端側に向かって先細る形状を有し、上記太陽光パネルユニット（10）の設置時には接地面に埋設される
ことを特徴とする太陽光パネルユニット用の杭装着部材。
【請求項２】
請求項１において、
上記本体部（71）及び取り付け部（72）は、少なくとも生分解性を有する材質によって形成されている
ことを特徴とする太陽光パネルユニット用の杭装着部材。
【請求項３】
請求項１または請求項２において、
上記取り付け部（72）付近において該取り付け部（72）と上記杭（19）の下端（19b）とに着脱可能に取り付けられる部材であって、上記取り付け部（72）と上記杭（19）の下端（19b）とを繋ぐための継手部（73）、
を更に備える
ことを特徴とする太陽光パネルユニット用の杭装着用部材。
【請求項４】
請求項３において、
上記継手部（73）は、上記取り付け部（72）に取り付けられた状態時、上記本体部（71）の外表面と面一となる外表面部（75a）を有する
ことを特徴とする太陽光パネルユニット用の杭装着部材。
【請求項５】
請求項３または請求項４において、
上記継手部（73）は、少なくとも生分解性を有する材質によって形成されている
ことを特徴とする太陽光パネルユニット用の杭装着部材。
【発明の詳細な説明】
【技術分野】
【０００１】
本発明は、太陽光パネルユニットの杭の下端に装着される部材に関するものである。
【背景技術】
【０００２】
発電手段には、水力発電等の様々なものがある。その中でも、近年では、環境にやさしいという観点から、太陽光発電が注目されている。
【０００３】
太陽光発電に係る技術としては、例えば特許文献１に示すような太陽光パネルユニットが知られている。特許文献１では、太陽光発電パネルが支持架台に取り付けられており、支持架台から下方に延びる杭の下端は、接地面に埋設されている。
【先行技術文献】
【特許文献】
【０００４】
【特許文献１】特開２０１３−２４９６１６号公報
【発明の概要】
【発明が解決しようとする課題】
【０００５】
特許文献１では、杭の下端が尖っているため、杭は設置面に埋設され易くなっている。また、杭の下端が地中と接する面積は大きいため、杭の支持力も比較的高い。しかしながら、杭は鋼管で形成されているため、杭の下端を尖らせる加工は、困難を極めると共に加工コストを上昇させる。
【０００６】
また、我国では、太陽光パネルユニットの杭を容易に撤去できる場合に限り、太陽光パネルユニットの農地への設置が許容されている。
【０００７】
本発明は、かかる点に鑑みてなされたものであり、その目的は、容易な加工及び低コストにて、太陽光パネルユニットの杭に対し高い支持力の維持及び設置面への容易な埋設を実現すると共に、太陽光パネルユニットの撤去の際には杭を引き抜き易くすることである。
【課題を解決するための手段】
【０００８】
第１の発明は、太陽光発電パネル（11）と、上記太陽光発電パネル（11）を支持する支持部材（14）と、上記支持部材（14）の下方に延びる杭（19）と、を備えた太陽光パネルユニット（10）において、該太陽光パネルユニット（10）の設置の際に上記杭（19）の下端（19b）に取り付けられる杭装着部材（70）であって、一方向に延設された本体部（71）と、上記本体部（71）の上記一方向の一端側に設けられ、該一端側を上記杭（19）の下端（19b）側に着脱可能に取り付けるための取り付け部（72）と、を備え、上記本体部（71）は、上記杭（19）に取り付けられた際に上記一方向の他端側に向かって先細る形状を有し、上記太陽光パネルユニット（10）の設置時には接地面に埋設されることを特徴とする太陽光パネルユニット用の杭装着部材である。
【０００９】
ここでは、太陽光パネルユニット（10）の杭（19）の下端には、着脱可能であって先細り形状の杭装着部材（70）が取り付けられる。これにより、加工が容易かつ低コストでありながらも、太陽光パネルユニット（10）の設置の際、杭（19）を接地面に埋設し易く、また杭（19）は比較的高い支持力を有することができる。更に、太陽光パネルユニット（10）の撤去の際、杭（19）を引き抜く時に杭装着部材（70）が杭（19）から外れて地中に残る可能性があり、従って杭（19）の引き抜き動作は容易になる。
【００１０】
第２の発明は、第１の発明において、上記本体部（71）及び取り付け部（72）は、少なくとも生分解性を有する材質によって形成されていることを特徴とする太陽光パネルユニット用の杭装着部材である。
【００１１】
これにより、太陽光パネルユニット（10）を設置してから年月が経てば、本体部（71）及び取り付け部（72）は微生物により分解されて土壌にかえる。その場合、太陽光パネルユニット（10）を撤去する際、作業者は、杭（19）のみを引き抜けば良い。また、本体部（71）及び取り付け部（72）が未だ分解しきれていない状態にて太陽光パネルユニット（10）を撤去した際、本体部（71）及び取り付け部（72）が仮に地中に残ったとしても、本体部（71）及び取り付け部（72）は、自然環境に影響を与えることはない。
【００１２】
第３の発明は、第１の発明または第２の発明において、上記取り付け部（72）付近において該取り付け部（72）と上記杭（19）の下端（19b）とに着脱可能に取り付けられる部材であって、上記取り付け部（72）と上記杭（19）の下端（19b）とを繋ぐための継手部（73）、を更に備えることを特徴とする太陽光パネルユニット用の杭装着用部材である。
【００１３】
これにより、継手部（73）の大きさを杭（19）の直径に合わせて適宜形成しておくことで、様々な直径の杭（19）に杭装着部材（70）を取りつけることができる。
【００１４】
第４の発明は、第３の発明において、上記継手部（73）は、上記取り付け部（72）に取り付けられた状態時、上記本体部（71）の外表面と面一となる外表面部（75a）を有することを特徴とする太陽光パネルユニット用の杭装着部材である。
【００１５】
これにより、杭装着部材（70）が取り付けられた杭（19）の下端（19b）を接地面に埋設する際、杭（19）を地中に差し込み易くなる。
【００１６】
第５の発明は、第３の発明または第４の発明において、上記継手部（73）は、少なくとも生分解性を有する材質によって形成されていることを特徴とする太陽光パネルユニット用の杭装着部材である。
【００１７】
これにより、太陽光パネルユニット（10）を設置してから年月が経てば、継手部（73）は微生物により分解されて土壌にかえる。その場合、太陽光パネルユニット（10）を撤去する際、作業者は、杭（19）のみを引き抜けば良い。また、継手部（73）が未だ分解しきれていない状態にて太陽光パネルユニット（10）を撤去した際、継手部（73）が仮に地中に残ったとしても、継手部（73）は、自然環境に影響を与えることはない。
【発明の効果】
【００１８】
本発明によれば、加工が容易かつ低コストでありながらも、太陽光パネルユニット（10）の設置の際、杭（19）を接地面に埋設し易く、また杭（19）は比較的高い支持力を有することができる。更に、杭（19）の引き抜き動作は容易になる。
【００１９】
また、上記第２の発明によれば、太陽光パネルユニット（10）を撤去する際、作業者は、杭（19）のみを引き抜けば良い。また、本体部（71）及び取り付け部（72）が仮に地中に残ったとしても、本体部（71）及び取り付け部（72）は、自然環境に影響を与えることはない。
【００２０】
また、上記第３の発明によれば、継手部（73）の大きさを杭（19）の直径に合わせて適宜作成しておくことで、様々な直径の杭（19）に杭装着部材（70）を取りつけることができる。
【００２１】
また、上記第４の発明によれば、杭装着部材（70）が取り付けられた杭（19）の下端（19b）を接地面に埋設する際、杭（19）を地中に差し込みやすくなる。
【００２２】
また、上記第５の発明によれば、太陽光パネルユニット（10）を撤去する際、作業者は、杭（19）のみを引き抜けば良い。また、継手部（73）が仮に地中に残ったとしても、継手部（73）は、自然環境に影響を与えることはない。
【図面の簡単な説明】
【００２３】
【図１】図１は、太陽光パネルユニットを備えた太陽光発電システムの全体構成を示す図である。
【図２】図２は、第１太陽光パネルユニットの側面図である。
【図３】図３は、杭の下端に装着される杭装着部材の構成を説明するための図である。
【図４】図４は、太陽光パネルユニットを設置した状態での、杭の下端付近の様子を示す図である。
【発明を実施するための形態】
【００２４】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２５】
≪実施形態≫
＜概要＞
図１に示すように、太陽光発電システム（1）は、太陽光発電パネル（11）を有する複数の太陽光パネルユニット（10）を備える。複数の太陽光パネルユニット（10）は、東西方向に延びる一直線上において概ね等間隔、且つ、各太陽光発電パネル（11）の回転軸（S）が互いに平行となるように配置されている。即ち、回転軸（S）は、南北方向を向く。各太陽光パネルユニット（10）の太陽光発電パネル（11）は、東西方向に揺動する。
【００２６】
このような太陽光パネルユニット（10）では、太陽光を利用して発電が行われる。発電された電力（直流電力）は、図示してはいないが、パワーコンディショナにて交流電力に変換され、その後電力負荷に供給される。
【００２７】
特に、本実施形態に係る太陽光パネルユニット（10）は、田畑等の農地に設置される。具体的に、太陽光パネルユニット（10）は、略鉛直方向に延びる杭（19）の下端（19b）（図３参照）が農地の接地面（G）に埋設されることで設置される。この時、作業者は、太陽光パネルユニット（10）の設置作業を簡単に行うことができ、且つ当該ユニット（10）が倒れることなく農地に確実に設置されることが望まれる。しかも、我国では、太陽光パネルユニット（10）を農地に設置する際には杭（19）が容易に撤去できなければならないとの定めがあり、これを遵守する必要もある。
【００２８】
そこで、本実施形態に係る太陽光パネルユニット（10）は、杭（19）の下端（19b）に杭装着部材（70）が取り付けられた状態にて設置される。杭装着部材（70）は、作業者が太陽光パネルユニット（10）を容易に設置できるようにすると共に、太陽光パネルユニット（10）が強固に接地面（G）に固定されるようにするためのものである。更に、杭装着部材（70）は、太陽光パネルユニット（10）の撤去の際、作業者が当該ユニット（10）の杭（19）を地中から容易に引き抜くことができるようにするためのものである。
【００２９】
＜構成＞
＜太陽光パネルユニット＞
先ずは、太陽光パネルユニット（10）の構成について説明する。
【００３０】
各太陽光パネルユニット（10）は、主として、太陽光発電パネル（11）と、支持架台（12）とを有する。なお、各太陽光パネルユニット（10）は、同じ構成を有する。
【００３１】
太陽光発電パネル（11）は、板状に形成され、一方の面（上面）が太陽光の受光面（11a）である。各太陽光発電パネル（11）は、受光面（11a）にて受けた太陽光を直流電力に変換することで発電を行う。また、図２に示すように、各太陽光発電パネル（11）は、北側ほど高くなるように、傾斜して支持架台（12）に支持されている。
【００３２】
図１及び図２に示すように、太陽光発電パネル（11）の裏面（下面）には、２本の桟部材（15a,15b）が固定されている。桟部材（15a,15b）は、回転軸（S）と直行する方向に、互いに離れて並行に配置されている。
【００３３】
図１に示すように、支持架台（12）は、個々の太陽光発電パネル（11）に対応して設けられ、各太陽光発電パネル（11）を回転軸（S）周りに回動自在に支持する。図２に示すように、支持架台（12）は、２つの接手部材（13）と、支持部材（14）と、杭（19）とを有する。支持部材（14）は、太陽光発電パネル（11）を支持する部材であり、所定長さを有したリップ溝型綱（Ｃ型綱）やチャンネル綱で形成されている。２つの接手部材（13）は、同一直線上に並ぶように、支持部材（14）の両端付近に回転自在に取り付けられると共に、桟部材（15a,15b）に固定される。これにより、太陽光発電パネル（11）は、回転軸（S）周りに回転することができる。
【００３４】
杭（19）は、固定金具（19a）によって支持部材（14）に固定されており、当該支持部材（14）から下方に延びている。杭（19）は、円筒形状の鋼材であり、その下端（固定金具（19a）とは反対側の杭（19）の端部）が接地面（G）に埋設される（図４参照）。
【００３５】
特に、太陽光パネルユニット（10）の設置の際、杭（19）の下端（19b）には、図１〜図４に示すように、本実施形態に係る杭装着部材（70）が取り付けられる。即ち、杭装着部材（70）が取り付けられた状態にて、杭（19）の下端（19b）は接地面（G）に埋設される。
【００３６】
このような構成の太陽光パネルユニット（10）は、図１に示すように、後述するアクチュエータユニット（50）が設けられた１つの第１太陽光パネルユニット（10a）と、アクチュエータユニット（50）が設けられていない複数の第２太陽光パネルユニット（10b）とを有する。第１及び第２太陽光パネルユニット（10a,10b）には、後述するリンク機構（60）が接続されている。従って、第２太陽光パネルユニット（10b）の太陽光発電パネル（11）は、第１太陽光パネルユニット（10a）の太陽光発電パネル（11）の動作に同期して駆動する。
【００３７】
＜太陽光発電システムの他の構成＞
太陽光発電システム（1）には、太陽光パネルユニット（10）及び杭装着部材（70）以外に、アクチュエータユニット（50）及びリンク機構（60）が備えられている。
【００３８】
図１及び図２に示すように、アクチュエータユニット（50）は、アクチュエータ（51）及び伝達機構（53）を有する。アクチュエータ（51）は、回転式の空気圧アクチュエータであり、図２の出力軸（51a）を、空気圧によって回転させる。伝達機構（53）は、クランク機構で構成されており、出力軸（51a）の回転に応じて太陽光発電パネル（11）を回転軸（S）周りに揺動させる。アクチュエータ（51）の出力軸（51a）の回転角は、図示しないコントローラにおいて調節される。
【００３９】
図１に示すように、リンク機構（60）は、リンク部材（17）と連結ロッド（61）とを有する。図２に示すように、リンク部材（17）は、板状の部材を三角形状に組み合わせて形成されたものであり、桟部材（15b）に固定されている。リンク部材（17）を構成する部材の一つである板状部材（17a）は、太陽光発電パネル（11）に対して垂直に下向きに延びている。連結ロッド（61）は、各リンク部材（17）同士を連結する円管状の部材である。図１に示すように、連結ロッド（61）は、リンク部材（17）の板状部材（17a）の下端付近に、回転自在にピン連結されている。第１太陽光パネルユニット（10a）の太陽光発電パネル（11）が揺動すると、当該パネル（11）とともに、板状部材（17a）が回転軸（S）周りに揺動し、連結ロッドが東西方向（図１参照）に変位する。その結果、各第２太陽光パネルユニット（10b）の太陽光発電パネル（11）も揺動する。即ち、各第２太陽光パネルユニット（10）の太陽光発電パネル（11）は、アクチュエータ（51）を共用して動作し、且つ第１太陽光パネルユニット（10a）の太陽光発電パネル（11）の動作に同期する。
【００４０】
＜杭装着部材＞
次に、本実施形態に係る杭装着部材（70）について説明する。既に述べたように、杭装着部材（70）は、太陽光パネルユニット（10）を農地に設置する直前に、杭（19）の下端（19b）に装着される部材である。太陽光パネルユニット（10）が設置された際には、杭装着部材（70）は、接地面（G）に埋設される。
【００４１】
図２及び図３に示すように、杭装着部材（70）は、本体部（71）と、取り付け部（72）と、継手部（73）とを備える。
【００４２】
本体部（71）は、少なくとも生分解性を有する材質が、一方向に延設されることで構成されている。具体的に、杭装着部材（70）が杭（19）の下端（19b）に取り付けられた際、本体部（71）の一方向は、上下方向となる。ここで、生分解性のある材質としては、生分解性プラスチック等が挙げられる。本体部（71）は、その内部が空洞とはなっておらず、更には一端である上端（71a）（即ち杭（19）の下端（19b）側）から他端である下端（71b）に向かって先細る形状を有している。具体的に、本体部（71）の上端（71a）における最大径（a）の大きさは、約４８．６ｍｍであり、上端（71a）から下端（71b）までの高さ（h1）は、約１１０ｍｍとなっている。
【００４３】
取り付け部（72）は、本体部（71）の一方向の一端側、即ち本体部（71）の上端（71a）側において、当該本体部（71）と一体に設けられている。つまり、本実施形態に係る取り付け部（72）は、本体部（71）と同様、少なくとも生分解性のある材質で形成されている。この取り付け部（72）は、本体部（71）の上端（71a）側を杭（19）の下端（19b）側に着脱可能に取り付けるための部材である。そして、取り付け部（72）の内部は、本体部（71）と同様、空洞とはなっていない。取り付け部（72）の外径（b）は、本体部（71）の最大径（a）よりは若干小さく、約４４ｍｍとなっている。取り付け部（72）の高さ（h2）は、本体部（71）の高さ（h1）よりも小さく、例えば本体部（71）の高さ（h1）の約５分の１弱となっている。
【００４４】
継手部（73）は、取り付け部（72）付近において、取り付け部（72）と杭（19）の下端（19b）とに着脱可能に取り付けられる部材であって、取り付け部（72）と杭（19）の下端（19b）とを繋ぐためのものである。つまり、継手部（73）は、本体部（71）及び取り付け部（72）とは別部材である。
【００４５】
継手部（73）は、直径（d）が杭（19）の内径より若干小さい第１部分（74）と、第１部分（74）の下方にて該第１部分（74）と一体に設けられた第２部分（75）とを有する。第２部分（75）は、上部から下部に向けて若干先細るような形状を有し、第２部分（75）の最大径（e）は、第１部分（74）の直径（d）よりも若干大きい。特に、第２部分（75）は、図３（Ｂ）に示すように、継手部（73）が取り付け部（72）に取り付けられた状態時、本体部（71）の外表面と面一となる外表面部（75a）を有する。これにより、杭装着部材（70）が装着された杭（19）の下端（19b）側を接地面（G）に埋設させる際、作業者は、杭（19）を容易に接地面（G）に差し込みやすくなる。また、杭（19）を強固に固定するために根入れ長さを長くとらずとも、杭（19）の支持力は、杭装着部材（70）を取り付けていない杭（19）に比して高い状態となる。差し込まれて地中に位置する杭装着部材（70）及び杭（19）が土と接する面積は、杭装着部材（70）が取り付けられていない杭（19）の下端（19b）が接地面（G）に埋設された場合に比して大きいためである。
【００４６】
そして、第２部分（75）には、下方に開口する開口部（75b）が形成されている。開口部（75b）は、取り付け部（72）がはめ込まれる程度の大きさを有する。つまり、開口部（75b）の径（c）は、取り付け部（72）の外径（b）よりも若干大きく、開口部（75b）の深さ（h4）は、取り付け部（72）の高さ（h2）よりも若干大きい。
【００４７】
継手部（73）が上述した構成を有することにより、図３（B）に示すように、杭装着部材（70）が組み立てられて杭（19）の下端（19b）に装着された際、継手部（73）の第１部分（74）は、杭（19）の内部に位置し、第２部分（75）は、杭（19）の下端（19b）から本体部（71）の上端（71a）の間に位置することになる。特に、杭装着部材（70）が杭（19）の下端（19b）に装着された際、第２部分（75）の外表面部（75a）は、太陽光パネルユニット（10）の外部に露出し、本体部（71）の外表面と面一となる。
【００４８】
このような継手部（73）の大きさの一例としては、継手部（73）の高さ（h3）は約３０ｍｍ、直径（d）は約５５．９ｍｍ、第２部分（75）の最大径（e）は約６０ｍｍとなっている。
【００４９】
更に、継手部（73）は、本体部（71）及び取り付け部（72）と同様、少なくとも生分解性を有する材質（例えば生分解性プラスチック）によって形成されている。故に、本実施形態に係る杭装着部材（70）は、全体的に生分解性を有することとなる。これにより、図４に示すように、杭装着部材（70）が装着された杭（19）の下端（19b）側が接地面（G）に埋設されて年月が経過した際、杭装着部材（70）は、土壌の中で微生物により分解されて土壌にかえる。そのため、農地にて育てられている食物は影響を受けずに済む。また、太陽光パネルユニット（10）を撤去する際、作業者は、杭（19）を引き抜きさえすれば良く、太陽光パネルユニット（10）の撤去は容易となる。
【００５０】
＜効果＞
本実施形態では、太陽光パネルユニット（10）の杭（19）の下端（19b）には、着脱可能であって先細り形状の杭装着部材（70）が取り付けられる。これにより、加工が容易かつ低コストでありながらも、太陽光パネルユニット（10）の設置の際、杭（19）を接地面（G）に埋設し易く、また杭（19）は比較的高い支持力を有することができる。更に、太陽光パネルユニット（10）の撤去の際、杭（19）を引き抜く時に杭装着部材（70）が杭（19）から外れて地中に残る可能性がある。従って、杭（19）の引き抜き動作は容易になる。
【００５１】
また、本体部（71）及び取り付け部（72）は、少なくとも生分解性を有する材質によって形成されている。これにより、太陽光パネルユニット（10）を設置してから年月が経てば、本体部（71）及び取り付け部（72）は微生物により分解されて土壌にかえる。その場合、太陽光パネルユニット（10）を撤去する際、作業者は、杭（19）のみを引き抜けば良い。また、本体部（71）及び取り付け部（72）が未だ分解しきれていない状態にて太陽光パネルユニット（10）を撤去した際、本体部（71）及び取り付け部（72）が仮に地中に残ったとしても、本体部（71）及び取り付け部（72）は、自然環境に影響を与えることはない。
【００５２】
また、杭装着部材（70）は、取り付け部（72）と杭（19）の下端（19b）とに着脱可能に取り付けられる継手部（73）を更に備える。これにより、継手部（73）の大きさを杭（19）の直径に合わせて適宜形成しておくことで、様々な直径の杭（19）に杭装着部材（70）を取りつけることができる。つまり、作業者は、使用する杭（19）の直径に対応した継手部（73）を選択し、選択した継手部（73）を取り付け部（72）及び杭（19）の下端（19b）のつなぎ部材として使用すると良い。
【００５３】
また、継手部（73）における外表面部（75a）は、取り付け部（72）に取り付けられた状態時、本体部（71）の外表面と面一となっている。これにより、杭装着部材（70）が取り付けられた杭（19）の下端（19b）を接地面（G）に埋設する際、杭（19）を地中に差し込み易くなる。
【００５４】
また、継手部（73）も、少なくとも生分解性を有する材質によって形成されている。これにより、太陽光パネルユニット（10）を設置してから年月が経てば、継手部（73）は微生物により分解されて土壌にかえる。その場合、太陽光パネルユニット（10）を撤去する際、作業者は、杭（19）のみを引き抜けば良い。また、継手部（73）が未だ分解しきれていない状態にて太陽光パネルユニット（10）を撤去した際、継手部（73）が仮に地中に残ったとしても、継手部（73）は、自然環境に影響を与えることはない。
【００５５】
≪その他の実施形態≫
上記実施形態については、以下のような構成としてもよい。
【００５６】
太陽光パネルユニット（10）の数は１つであっても良い。
【００５７】
太陽光発電パネル（11）の支持架台（12）は、杭（19）及び支持部材（14）を有していればよく、詳細な構成は、図１及び図２に限定されない。
【００５８】
太陽光パネルユニット（10）が設置された際、接地面（G）に埋設される部材は、杭装着部材（70）全てには限定されない。例えば、本体部（71）のみが埋設されてもよい。
【００５９】
杭装着部材（70）を構成する部材（71~73）全てが、必ずしも生分解性を有する材質で形成されていなくてもよい。当該部材（71~73）のうち少なくとも１つが、生分解性を有する材質で形成されていてもよい。もしくは、当該部材（71~73）全てが、生分解性を有さない材質で形成されていてもよい。
【００６０】
継手部（73）は必須ではない。従って、取り付け部（72）が杭（19）の下端（19b）に直接取り付けられていてもよい。
【００６１】
継手部（73）が取り付け部（72）に取り付けられた際、継手部（73）の外表面部（75a）は、本体部（71）の外表面と面一でなくてもよい。
【産業上の利用可能性】
【００６２】
以上説明したように、本発明は、農地等に設置される太陽光パネルユニットの杭の下端に取り付けられる杭装着部材として有用である。
【符号の説明】
【００６３】
10  太陽光パネルユニット
11  太陽光発電パネル
14  支持部材
19  杭
19b  杭の下端
70  杭装着部材
71  本体部
72  取り付け部
73  継手部
75a  外表面部
【図１】
2016073085.tif 000003
【図２】
2016073085.tif 000004
【図３】
2016073085.tif 000005
【図４】
2016073085.tif 000006